(57)【要約】【課題】給水車による給水作業に要する時間や費用や労力を低減すること。【解決手段】本発明では、荷台に筐体を取付けるとともに、筐体の内部に貯水タンクを収容し、貯水タンクに配水用のポンプを接続した給水車において、筐体の天井部に貯水タンクの給水口に連通する漏斗を配設することにした。漏斗は、筐体の天井壁を貯水タンクの給水口に向けて傾倒して形成することにした。また、天井壁を前後に分割して構成し、前側天井壁の前端部と後側天井壁の後端部とを左右側壁に傾倒可能に取付け、一方、貯水タンクの給水口を左右側壁の間隔で形成し、前側天井壁の後端部と後側天井壁の前端部とを左右側壁に沿って水密状に貯水タンクの給水口に向けて傾倒可能に形成することにした。さらに、天井壁の表面に太陽光発電パネルを設置し、太陽光発電パネルで発電した電力を用いてポンプを駆動するように構成することにした。【選択図】図１
2008290627.tif 000002
【特許請求の範囲】
【請求項１】
荷台に筐体を取付けるとともに、筐体の内部に貯水タンクを収容し、貯水タンクに配水用のポンプを接続した給水車において、
筐体の天井部に貯水タンクの給水口に連通する漏斗を配設したことを特徴とする給水車。
【請求項２】
前記漏斗は、筐体の天井壁を貯水タンクの給水口に向けて傾倒して形成したことを特徴とする請求項１に記載の給水車。
【請求項３】
前記天井壁を前後に分割して構成し、前側天井壁の前端部と後側天井壁の後端部とを左右側壁に傾倒可能に取付け、一方、前記貯水タンクの給水口を左右側壁の間隔で形成し、前側天井壁の後端部と後側天井壁の前端部とを左右側壁に沿って水密状に前記貯水タンクの給水口に向けて傾倒可能に形成したことを特徴とする請求項２に記載の給水車。
【請求項４】
前記天井壁の表面に太陽光発電パネルを設置し、太陽光発電パネルで発電した電力を用いて前記ポンプを駆動するように構成したことを特徴とする請求項２又は請求項３に記載の給水車。
【発明の詳細な説明】
【技術分野】
【０００１】
本発明は、荷台に筐体を取付けるとともに、筐体の内部に貯水タンクを収容し、貯水タンクに配水用のポンプを接続した給水車に関するものである。
【背景技術】
【０００２】
従来より、災害時や緊急時に水が不足する地域に水を供給するために、給水車が広く利用されている。
【０００３】
従来の給水車は、トラックの荷台に筐体を取付けるとともに、筐体の内部に貯水タンクを収容し、貯水タンクに配水用のポンプを接続し、ポンプに浄水器を接続して構成していた。
【０００４】
そして、従来の給水車では、河川や湖や海などの水が豊富に存在する場所で貯水タンクに水を貯留し、その後、水不足地域まで走行し、水不足地域で水を供給するようにしていた（たとえば、特許文献１参照。）。
【０００５】
【特許文献１】特開平４−２４３５９４号公報
【発明の開示】
【発明が解決しようとする課題】
【０００６】
ところが、上記従来の給水車では、水が豊富に存在する場所から水不足地域まで走行して水を供給し、その後、再び水が豊富に存在する場所まで走行するといった一連の作業を往復して繰り返し行わなければならず、給水車を走行させるために多大な時間や費用や労力を要しており、しかも、多数台の給水車を同時に連続して使用しなければ水不足地域の需要を満足させることができず、即時に水不足を解消することができないものであった。
【課題を解決するための手段】
【０００７】
そこで、請求項１に係る本発明では、荷台に筐体を取付けるとともに、筐体の内部に貯水タンクを収容し、貯水タンクに配水用のポンプを接続した給水車において、筐体の天井部に貯水タンクの給水口に連通する漏斗を配設することにした。
【０００８】
また、請求項２に係る本発明では、前記請求項１に係る本発明において、前記漏斗は、筐体の天井壁を貯水タンクの給水口に向けて傾倒して形成することにした。
【０００９】
また、請求項３に係る本発明では、前記請求項２に係る本発明において、前記天井壁を前後に分割して構成し、前側天井壁の前端部と後側天井壁の後端部とを左右側壁に傾倒可能に取付け、一方、前記貯水タンクの給水口を左右側壁の間隔で形成し、前側天井壁の後端部と後側天井壁の前端部とを左右側壁に沿って水密状に前記貯水タンクの給水口に向けて傾倒可能に形成することにした。
【００１０】
また、請求項４に係る本発明では、前記請求項２又は請求項３に係る本発明において、前記天井壁の表面に太陽光発電パネルを設置し、太陽光発電パネルで発電した電力を用いて前記ポンプを駆動するように構成することにした。
【発明の効果】
【００１１】
そして、本発明では、以下に記載する効果を奏する。
【００１２】
すなわち、本発明では、荷台に筐体を取付けるとともに、筐体の内部に貯水タンクを収容し、貯水タンクに配水用のポンプを接続した給水車において、筐体の天井部に貯水タンクの給水口に連通する漏斗を配設しているために、漏斗を用いて雨水を貯水タンクに容易かつ円滑に貯留することができるので、水不足地域での降雨を有効に利用して即時に水不足を解消することができ、給水車による給水作業に要する時間や費用や労力を低減することができる。
【００１３】
特に、筐体の天井壁を貯水タンクの給水口に向けて傾倒することによって漏斗を形成した場合には、天井壁を漏斗として兼用することができ、天井壁とは別個に漏斗を設ける必要が無くなり、給水車の重量を軽減して給水車の燃費を向上することができ、これにより、給水作業に要する費用をより一層低減することができる。
【００１４】
また、天井壁を前後に分割して構成し、前側天井壁の前端部と後側天井壁の後端部とを左右側壁に傾倒可能に取付け、一方、貯水タンクの給水口を左右側壁の間隔で形成し、前側天井壁の後端部と後側天井壁の前端部とを左右側壁に沿って水密状に貯水タンクの給水口に向けて傾倒可能に形成した場合には、雨水を効率よく貯水タンクに貯留することができ、給水作業に要する時間をより一層低減することができる。
【００１５】
さらに、天井壁の表面に太陽光発電パネルを設置し、太陽光発電パネルで発電した電力を用いてポンプを駆動するように構成した場合には、太陽光という自然エネルギーを有効に利用して給水作業を行うことができ、給水作業に要する費用をより一層低減することができるとともに、太陽の位置に応じて天井壁を傾倒させることで、太陽と太陽光発電パネルとを対向させることができ、これにより、太陽光発電パネルによる発電を効率よく行うことができる。
【発明を実施するための最良の形態】
【００１６】
以下に、本発明に係る給水車の具体的な構成について図面を参照しながら説明する。
【００１７】
図１に示すように、給水車１は、トラック２の荷台３の上部に矩形箱型状の筐体４を取付けており、この筐体４の内部に荷台３に設置した貯水タンク５とポンプ６と浄水器７とを収容し、貯水タンク５にポンプ６を接続するとともに、ポンプ６に浄水器７を接続している。
【００１８】
ここで、ポンプ６と浄水器７は、電力で駆動される構造となっており、給水車１のバッテリーでも駆動できるようにしているが、これとは別個に蓄電池８を接続するとともに、蓄電池８に太陽光発電パネル９を接続して、太陽光という自然エネルギーを利用して太陽光発電パネル９で発電し、発電した電力を蓄電池８に蓄電し、蓄電池８でポンプ６や浄水器７を駆動できるようにもなっている。
【００１９】
また、給水車１は、筐体４の天井壁10を前側天井壁11と後側天井壁12とに前後に分割して構成し、左右側壁13,14の前端部に前側天井壁11の前端部を傾倒可能に回動自在に取付ける一方、左右側壁13,14の後端部に後側天井壁12の後端部を傾倒可能に回動自在に取付けており、前側天井壁11と後側天井壁12を水平にして天井壁10を水平平坦面に形成した場合に、前側天井壁11の後端部と後側天井壁12の前端部とが水密状に密接するようにしている。
【００２０】
また、給水車１は、図２に示すように、前側天井壁11（及び後側天井壁12）の左右端部にゴム製のパッキン15,15を取付けて、前側天井壁11の後端部（及び後側天井壁12の前端部）を降下させることで、前側天井壁11（及び後側天井壁12）を左右側壁13,14に沿って水密状に傾倒させることができる。
【００２１】
また、給水車１は、貯水タンク５の上部に左右側壁13,14の間隔で給水口16を形成しており、前側天井壁11や後側天井壁12を傾倒させたときに、前側天井壁11の後端部と後側天井壁12の前端部が貯水タンク５の給水口16に当接し、これにより、傾倒した前側天井壁11と後側天井壁12とで貯水タンク５の給水口16に連通する漏斗17を形成するようにしている。
【００２２】
また、給水車１は、傾倒可能な後側天井壁12の表面に太陽光発電パネル９を設置して、後側天井壁12の傾倒に伴って太陽光発電パネル９も傾倒するようにしている。
【００２３】
また、給水車１は、貯水タンク５の上部に連結パイプ18を接続しており、この連結パイプ18に家屋の雨樋を連通させることによっても雨水を集水することができるようになっている。なお、給水車１は、ポンプ６によっても河川水や湖水や海水などを集水することができるようになっている。また、給水車１は、ポンプ６から浄水器７を介さずに直接水を配給や消火などのために配水することもできるようになっている。
【００２４】
そして、給水車１では、天井壁10を構成する前側天井壁11の後端部と後側天井壁12の前端部とを貯水タンク５の給水口16に向けて降下させることで、筐体４の天井部に漏斗17が形成され、その漏斗17を用いて雨水を貯水タンク５に貯留し、その後、予め太陽光発電パネル９で発電し蓄電池８に蓄電した電力を用いてポンプ６や浄水器７を駆動し、浄水器７で雨水を浄化した水を配給口19から配給するようにしている。
【００２５】
以上に説明したように、上記給水車１は、筐体４の内部に貯水タンク５を収容し、貯水タンク５に配水用のポンプ６を接続し、しかも、筐体４の天井部に貯水タンク５の給水口16に連通する漏斗17を配設した構成となっている。
【００２６】
そのため、上記構成の給水車１では、漏斗17を用いて雨水を貯水タンク５に容易かつ円滑に貯留することができるので、水不足地域での降雨を有効に利用して即時に水不足を解消することができ、給水車１による給水作業に要する時間や費用や労力を低減することができる。
【００２７】
しかも、上記給水車１では、筐体４の天井壁10を貯水タンク５の給水口16に向けて傾倒することによって漏斗17を形成するように構成している。
【００２８】
そのため、上記構成の給水車１では、天井壁10を漏斗17として兼用することができ、天井壁10とは別個に漏斗17を設ける必要が無くなり、給水車１の重量を軽減して給水車１の燃費を向上することができ、これにより、給水作業に要する費用をより一層低減することができる。
【００２９】
また、上記給水車１では、天井壁10を前後に分割して構成し、前側天井壁11の前端部と後側天井壁12の後端部とを左右側壁13,14に傾倒可能に取付け、一方、貯水タンク５の給水口16を左右側壁13,14の間隔で形成し、前側天井壁11の後端部と後側天井壁12の前端部とを左右側壁13,14に沿って水密状に貯水タンク５の給水口16に向けて傾倒可能に形成している。
【００３０】
そのため、上記構成の給水車１では、雨水を効率よく貯水タンク５に貯留することができ、給水作業に要する時間をより一層低減することができる。
【００３１】
さらに、上記給水車１では、天井壁10（ここでは、後側天井壁12）の表面に太陽光発電パネル９を設置し、太陽光発電パネル９で発電した電力を用いてポンプ６を駆動するように構成している。
【００３２】
そのため、上記構成の給水車１では、太陽光という自然エネルギーを有効に利用して給水作業を行うことができ、給水作業に要する費用をより一層低減することができるとともに、太陽の位置に応じて天井壁10を傾倒させることで、太陽と太陽光発電パネル９とを対向させることができ、これにより、太陽光発電パネル９による発電を効率よく行うことができる。
【図面の簡単な説明】
【００３３】
【図１】給水車を示す側面図。
【図２】天井壁及び貯水タンクを示す断面図。
【符号の説明】
【００３４】
１  給水車                              ２  トラック
３  荷台                                ４  筐体
５  貯水タンク                          ６  ポンプ
７  浄水器                              ８  蓄電池
９  太陽光発電パネル                    10  天井壁
11  前側天井壁                          12  後側天井壁
13,14  左右側壁                         15  パッキン
16  給水口                              17  漏斗
18  連結パイプ                          19  配給口
【図１】
2008290627.tif 000003
【図２】
2008290627.tif 000004
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
荷台に筐体を取付けるとともに、筐体の内部に貯水タンクを収容し、貯水タンクに配水用のポンプを接続した給水車において、
筐体の天井部に貯水タンクの給水口に連通する漏斗を配設し、漏斗は、筐体の天井壁を前後に分割して構成し、前側天井壁の前端部と後側天井壁の後端部とを左右側壁に傾倒可能に取付け、一方、貯水タンクの給水口を左右側壁の間隔で形成し、前側天井壁と後側天井壁とを左右側壁に沿って水密状に貯水タンクの給水口に向けて傾倒可能に形成したことを特徴とする給水車。
【請求項２】
前記天井壁の表面に太陽光発電パネルを設置し、太陽光発電パネルで発電した電力を用いて前記ポンプを駆動するように構成したことを特徴とする請求項１に記載の給水車。
【手続補正２】
【補正対象書類名】明細書
【補正対象項目名】０００７
【補正方法】変更
【補正の内容】
【０００７】
そこで、請求項１に係る本発明では、荷台に筐体を取付けるとともに、筐体の内部に貯水タンクを収容し、貯水タンクに配水用のポンプを接続した給水車において、筐体の天井部に貯水タンクの給水口に連通する漏斗を配設し、漏斗は、筐体の天井壁を前後に分割して構成し、前側天井壁の前端部と後側天井壁の後端部とを左右側壁に傾倒可能に取付け、一方、貯水タンクの給水口を左右側壁の間隔で形成し、前側天井壁と後側天井壁とを左右側壁に沿って水密状に貯水タンクの給水口に向けて傾倒可能に形成することにした。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項２に係る本発明では、前記請求項１に係る本発明において、前記天井壁の表面に太陽光発電パネルを設置し、太陽光発電パネルで発電した電力を用いて前記ポンプを駆動するように構成することにした。
【手続補正６】
【補正対象書類名】明細書
【補正対象項目名】００１４
【補正方法】変更
【補正の内容】
【００１４】
また、天井壁を前後に分割して構成し、前側天井壁の前端部と後側天井壁の後端部とを左右側壁に傾倒可能に取付け、一方、貯水タンクの給水口を左右側壁の間隔で形成し、前側天井壁と後側天井壁とを左右側壁に沿って水密状に貯水タンクの給水口に向けて傾倒可能に形成した場合には、雨水を効率よく貯水タンクに貯留することができ、給水作業に要する時間をより一層低減することができる。
【手続補正７】
【補正対象書類名】明細書
【補正対象項目名】００２９
【補正方法】変更
【補正の内容】
【００２９】
また、上記給水車１では、天井壁10を前後に分割して構成し、前側天井壁11の前端部と後側天井壁12の後端部とを左右側壁13,14に傾倒可能に取付け、一方、貯水タンク５の給水口16を左右側壁13,14の間隔で形成し、前側天井壁11と後側天井壁12とを左右側壁13,14に沿って水密状に貯水タンク５の給水口16に向けて傾倒可能に形成している。